(57)【特許請求の範囲】
【請求項１】
医療器具を収容する収容部が形成された包装体を有する医療器具包装材であって、
前記医療器具は、その端部に、前記医療器具から受光した光を基に生体パラメータの測定を行う外部装置と接続可能な接続部を有し、
前記包装体は、
前記包装体の所定部分に形成された開口部と前記収容部とを連通させる切欠部と、
前記医療器具の前記接続部と前記外部装置とを接続する際に、前記医療器具の前記接続部を前記開口部から前記包装体の外側に向けた状態で前記医療器具の前記端部を前記切欠部に保持する保持部と、
を有する医療器具包装材。
【請求項２】
前記保持部は、前記医療器具の前記端部を前記切欠部に固定する固定部を有する、
請求項１に記載の医療器具包装材。
【請求項３】
医療器具と、
前記医療器具が接続され、前記医療器具から受光した光を基に生体パラメータの測定を行うベースユニットと、
前記医療器具を収容する収容部が形成された包装体と、を有し、
前記医療器具は、その端部に、前記ベースユニットと接続可能な接続部を有し、
前記包装体は、
前記包装体の所定部分に形成された開口部と前記収容部とを連通させる切欠部と、
前記医療器具の前記接続部と前記ベースユニットとを接続する際に、前記医療器具の前記接続部を前記開口部から前記包装体の外側に向けた状態で前記医療器具の前記端部を前記切欠部に保持する保持部と、を有し、
前記ベースユニットは、
前記包装体が差し込まれる第１の差込部と、
前記医療器具の前記接続部が差し込まれる第２の差込部と、を有し、
前記包装体が前記第１の差込部に差し込まれたときに前記医療器具の前記接続部が前記第２の差込部に差し込まれるように、前記第２の差込部は前記第１の差込部の内部に配置されている、
検査システム。
【請求項４】
医療器具と、
前記医療器具が接続され、前記医療器具から受光した光を基に生体パラメータの測定を行うベースユニットと、
前記医療器具を収容する収容部が形成された包装体と、を有し、
前記医療器具は、その端部に、前記ベースユニットと接続可能な接続部を有し、
前記包装体は、
前記包装体の所定部分に形成された開口部と前記収容部とを連通させる切欠部を有し、
前記医療器具の前記接続部と前記ベースユニットとを接続する際に前記医療器具の前記接続部が前記開口部から前記包装体の外側に向いた状態となるように、前記医療器具の前記端部が、前記切欠部において前記包装体と一体に形成されており、
前記ベースユニットは、
前記包装体が差し込まれる第１の差込部と、
前記医療器具の前記接続部が差し込まれる第２の差込部と、を有し、
前記包装体が前記第１の差込部に差し込まれたときに前記医療器具の前記接続部が前記第２の差込部に差し込まれるように、前記第２の差込部は前記第１の差込部の内部に配置されている、
検査システム。
【請求項５】
前記包装体が前記第１の差込部に差し込まれたときに前記第２の差込部が前記包装体の前記切欠部に差し込まれて前記医療器具の前記接続部が前記第２の差込部に差し込まれるように、前記第２の差込部は、前記切欠部に対応する位置に突設されている、
請求項３又は４に記載の検査システム。
【請求項６】
使用時に基端部がベースユニットに接続され且つ先端部が体腔内に導入される、医療用プローブであって、
前記ベースユニットと接続可能な接続部を前記基端部に有するプローブ本体と、
前記プローブ本体を収容する収容部が形成された包装体と、を有し、
前記ベースユニットは、前記プローブ本体から受光した光を基に生体パラメータの測定を行い、
前記包装体は、
前記包装体の所定部分に形成された開口部と前記収容部とを連通させる切欠部と、
前記プローブ本体の前記接続部と前記ベースユニットとを接続する際に、前記プローブ本体の前記接続部を前記開口部から前記包装体の外側に向けた状態で前記プローブ本体の前記基端部を前記切欠部に保持する保持部と、
を有する医療用プローブ。
【請求項７】
使用時に基端部がベースユニットに接続され且つ先端部が体腔内に導入される、医療用プローブであって、
前記ベースユニットと接続可能な接続部を前記基端部に有するプローブ本体と、
前記プローブ本体を収容する収容部が形成された包装体と、を有し、
前記ベースユニットは、前記プローブ本体から受光した光を基に生体パラメータの測定を行い、
前記包装体は、前記包装体に所定部分に形成された開口部と前記収容部とを連通させる切欠部を有し、
前記プローブ本体の前記接続部と前記ベースユニットとを接続する際に前記プローブ本体の前記接続部が前記開口部から前記包装体の外側に向いた状態となるように、前記プローブ本体の前記基端部が、前記切欠部において前記包装体と一体に形成されている、
医療用プローブ。
【発明の詳細な説明】
【技術分野】
【０００１】
本発明は、医療器具包装材、検査システム、及び医療用プローブに関する。
【背景技術】
【０００２】
医療器具を包装するための医療器具包装材として、従来から様々なものが提案されている。
【０００３】
例えば特許文献１記載の医療器具包装材は、可撓性を有する長尺の医療器具を収納するための容器を有する。この容器は、長方形状の底部とこの底部の外周を囲む壁部とを有するトレイ形に形成されている。また、この容器は、容器内で環状に巻かれて保持されている医療器具と壁部の四つ角の部分とが離間するように形成されており、これにより医療器具を容器から容易に取り出し可能となっている。
【先行技術文献】
【特許文献】
【０００４】
【特許文献１】特開２００９−２９７０８４号公報
【発明の概要】
【発明が解決しようとする課題】
【０００５】
ところで、従来、医療器具包装材に収納される医療器具として、診断等のために先端部を体腔内に導入される医療用プローブのように、その基端部が外部装置に接続された状態で使用されるものがある。
【０００６】
このような医療器具を例えば特許文献１記載の容器に収納した場合、通常は、医療器具を容器から鉗子で把持して取り出し、基端部を手で外部装置に接続した後、鉗子で把持している医療器具を別の場所に載置すると、医療器具の使用準備が完了する。
【０００７】
しかしながら、上記のような医療器具の使用準備方法では、基端部の接続前に医療器具を容器から鉗子で取り出す手間、及び基端部の接続後に医療器具を別の場所に載置する手間が必要であるため、準備をする者（通常は看護師）にとっては不便である。
【０００８】
本発明の目的は、使用時に外部装置に接続される医療器具の使用準備を簡便化することができる医療器具包装材、及びその医療器具を使用する検査システムを提供することである。
【０００９】
本発明の他の目的は、使用準備を簡便化することができる医療用プローブを提供することである。
【課題を解決するための手段】
【００１０】
本発明に係る医療器具包装材は、
医療器具を収容する収容部が形成された包装体を有する医療器具包装材であって、
前記医療器具は、その端部に、前記医療器具から受光した光を基に生体パラメータの測定を行う外部装置と接続可能な接続部を有し、
前記包装体は、
前記包装体の所定部分に形成された開口部と前記収容部とを連通させる切欠部と、
前記医療器具の前記接続部と前記外部装置とを接続する際に、前記医療器具の前記接続部を前記開口部から前記包装体の外側に向けた状態で前記医療器具の前記端部を前記切欠部に保持する保持部と、
を有する。
【００１１】
本発明に係る検査システムは、
医療器具と、
前記医療器具が接続され、前記医療器具から受光した光を基に生体パラメータの測定を行うベースユニットと、
前記医療器具を収容する収容部が形成された包装体と、を有し、
前記医療器具は、その端部に、前記ベースユニットと接続可能な接続部を有し、
前記包装体は、
前記包装体の所定部分に形成された開口部と前記収容部とを連通させる切欠部と、
前記医療器具の前記接続部と前記ベースユニットとを接続する際に、前記医療器具の前記接続部を前記開口部から前記包装体の外側に向けた状態で前記医療器具の前記端部を前記切欠部に保持する保持部と、を有し、
前記ベースユニットは、
前記包装体が差し込まれる第１の差込部と、
前記医療器具の前記接続部が差し込まれる第２の差込部と、を有し、
前記包装体が前記第１の差込部に差し込まれたときに前記医療器具の前記接続部が前記第２の差込部に差し込まれるように、前記第２の差込部は前記第１の差込部の内部に配置されている。
また、本発明に係る検査システムは、
医療器具と、
前記医療器具が接続され、前記医療器具から受光した光を基に生体パラメータの測定を行うベースユニットと、
前記医療器具を収容する収容部が形成された包装体と、を有し、
前記医療器具は、その端部に、前記ベースユニットと接続可能な接続部を有し、
前記包装体は、
前記包装体の所定部分に形成された開口部と前記収容部とを連通させる切欠部を有し、
前記医療器具の前記接続部と前記ベースユニットとを接続する際に前記医療器具の前記接続部が前記開口部から前記包装体の外側に向いた状態となるように、前記医療器具の前記端部が、前記切欠部において前記包装体と一体に形成されており、
前記ベースユニットは、
前記包装体が差し込まれる第１の差込部と、
前記医療器具の前記接続部が差し込まれる第２の差込部と、を有し、
前記包装体が前記第１の差込部に差し込まれたときに前記医療器具の前記接続部が前記第２の差込部に差し込まれるように、前記第２の差込部は前記第１の差込部の内部に配置されている。
【００１２】
本発明に係る医療用プローブは、
使用時に基端部がベースユニットに接続され且つ先端部が体腔内に導入される、医療用プローブであって、
前記ベースユニットと接続可能な接続部を前記基端部に有するプローブ本体と、
前記プローブ本体を収容する収容部が形成された包装体と、を有し、
前記ベースユニットは、前記プローブ本体から受光した光を基に生体パラメータの測定を行い、
前記包装体は、
前記包装体の所定部分に形成された開口部と前記収容部とを連通させる切欠部と、
前記プローブ本体の前記接続部と前記ベースユニットとを接続する際に、前記プローブ本体の前記接続部を前記開口部から前記包装体の外側に向けた状態で前記プローブ本体の前記基端部を前記切欠部に保持する保持部と、
を有する。
また、本発明に係る医療用プローブは、
使用時に基端部がベースユニットに接続され且つ先端部が体腔内に導入される、医療用プローブであって、
前記ベースユニットと接続可能な接続部を前記基端部に有するプローブ本体と、
前記プローブ本体を収容する収容部が形成された包装体と、を有し、
前記ベースユニットは、前記プローブ本体から受光した光を基に生体パラメータの測定を行い、
前記包装体は、前記包装体に所定部分に形成された開口部と前記収容部とを連通させる切欠部を有し、
前記プローブ本体の前記接続部と前記ベースユニットとを接続する際に前記プローブ本体の前記接続部が前記開口部から前記包装体の外側に向いた状態となるように、前記プローブ本体の前記基端部が、前記切欠部において前記包装体と一体に形成されている。
【発明の効果】
【００１３】
本発明によれば、医療用プローブ等、使用時に外部装置に接続される医療器具の使用準備を簡便化することができる。
【図面の簡単な説明】
【００１４】
【図１】本発明の一実施の形態に係るプローブ包装材の構成を示す図
【図２】図１に示すプローブ包装材にプローブ本体が保持されていない状態を示す図
【図３】（ａ）本発明の一実施の形態に係るプローブ包装材において固定部材により固定されたプローブ基端部を示す図、（ｂ）本発明の一実施の形態に係るプローブ包装材においてプローブトレイと一体化されているプローブ基端部を示す図
【図４】（ａ）本発明の一実施の形態に係る上カバーを示す図、（ｂ）上カバーをプローブトレイに被せた状態を示す図
【図５】本発明の一実施の形態に係る上カバーの変形例を示す図
【図６】本発明の一実施の形態に係る検査システムの構成を示す図
【図７】本発明の一実施の形態に係る検査システムのプローブトレイとベースユニットとを接続した状態を示す図
【発明を実施するための形態】
【００１５】
以下、本発明の実施の形態について、図面を用いて詳細に説明する。下記実施の形態では、トレイ形の容器を医療器具包装材の本体（包装体）として使用し、その内部に、使い捨てタイプのプローブを収納する場合を例にとって説明する。このプローブは、使用時に基端部がベースユニット（外部装置）に接続され且つ先端部が内視鏡等の管状体を介して体腔（消化器系の場合、食道及び胃等）内に導入されるものである。
【００１６】
図１に示すように、本発明の一実施の形態に係る医療器具包装材としてのプローブ包装材は、プローブトレイ（包装体）１０を有する。プローブトレイ１０は、プローブ本体２０を収納する容器であり（図２参照）、所定の剛性を有する材料から形成されている。
【００１７】
プローブトレイ１０に収納されるプローブ本体２０は、基端部２０ａと、先端部２０ｂと、基端部２０ａから先端部２０ｂまで延伸する長尺の可撓性部材からなる延伸部２０ｃと、を有する。延伸部２０ｃには、光ファイバー等の光伝送媒体（図示せず）が内蔵されている。基端部（以下「プローブ基端部」という）２０ａには、ベースユニット（外部装置）３０（図６参照）に対し着脱自在に構成されたコネクタ部（接続部）２１が設けられている。
【００１８】
コネクタ部２１は、３つの端子２１ａ、２１ｂ、２１ｃと、端子２１ａ〜２１ｃを収容するハウジング２１ｄと、を有し、端子２１ａ〜２１ｃは、ハウジング２１ｄから突設されている。端子２１ａは、先端部（以下「プローブ先端部」という）２０ｂから出射させる測定用の光をベースユニット３０から受光するための端子である。また、端子２１ｂは、プローブ先端部２０ｂにて受光された、体腔内の測定対象部位からの反射光を、ベースユニット３０に伝送するための端子である。端子２１ｃは、内視鏡に装備された照明部に代わってプローブ先端部２０ｂから出射させる照明用の光をベースユニット３０から受光するための端子である。
【００１９】
プローブトレイ１０の上面部１０ａには、プローブ本体２０を収容するための収容凹部（収容部）１１が、形成されている。収容凹部１１は、プローブ先端部２０ｂ及び延伸部２０ｃを収容可能な形状に形成されている。より具体的には、収容凹部１１は、延伸部２０ｃを環状に巻いた状態で収容し且つプローブ先端部２０ｂを延伸部２０ｃから離間させた状態で収容するように、ｂ字状に形成されている。これにより、使用時にプローブ先端部２０ｂを容易に取り出すことができる。
【００２０】
プローブトレイ１０には、その側面部１０ｂに形成された側面開口部（開口部）１２と収容凹部１１とが互いに連通するように、切欠部１３が形成されている。切欠部１３は、プローブ基端部２０ａを収容可能な形状に形成されている。より具体的には、切欠部１３は、プローブ基端部２０ａを、側面開口部１２からプローブトレイ１０の外側に向けたときの形態に適合した形状を有している。これにより、切欠部１３には、プローブ基端部２０ａを、側面開口部１２からプローブトレイ１０の外側に向けた状態で収容することができる。
【００２１】
よって、図１に示すように、プローブトレイ１０は、収容凹部１１と切欠部１３との組合せによりプローブ本体２０を完全に収容することができる。
【００２２】
プローブ基端部２０ａは、側面開口部１２からプローブトレイ１０の外側に向いた状態で、切欠部１３に収容され保持されている。
【００２３】
プローブ基端部２０ａを切欠部１３に保持する方法としては、例えば、接着剤でプローブ基端部２０ａを切欠部１３の底面に接着する方法がある。この場合、プローブ基端部２０ａを切欠部１３に保持する保持部は、プローブ基端部２０ａと切欠部１３との間の接着剤層（図示せず）により構成される。
【００２４】
別の方法としては、例えば図３（ａ）に示すように、テープ状の固定部材１４をプローブ基端部２０ａに被せるようにプローブトレイ１０に貼付して、プローブ基端部２０ａを切欠部１３の底面に押さえつける方法がある。この場合、プローブ基端部２０ａを切欠部１３に保持する保持部は、固定部材１４により構成される。
【００２５】
さらに別の方法としては、例えば図３（ｂ）に示すように、切欠部１３においてプローブ基端部２０ａとプローブトレイ１０とを一体に形成する方法がある。この場合、プローブ基端部２０ａを切欠部１３に保持する保持部は、一体化されたプローブ基端部２０ａとプローブトレイ１０との間の接合部１５により構成される。
【００２６】
すなわち、プローブ本体２０と、プローブ基端部２０ａを切欠部１３に保持するプローブトレイ１０と、の組合せは、本発明の医療用プローブを構成する。
【００２７】
未使用のプローブ本体２０をプローブトレイ１０に収納して保管する場合は、衛生上の観点から、プローブ本体２０を収納したプローブトレイ１０ごと滅菌袋（図示せず）に封入することが好ましい。さらに、未使用のプローブ本体２０を外部からの衝撃から確実に保護するために、保管時にはプローブトレイ１０の収容凹部１１及び側面開口部１２を閉蓋することが好ましい。
【００２８】
例えば、プローブトレイ１０の上面部１０ａ及び側面部１０ｂを覆う上カバー１６（図４（ａ）参照）をプローブトレイ１０と同様の剛性材料で形成し、これを上面部１０ａ及び側面部１０ｂに被せれば（図４（ｂ）参照）、プローブ本体２０の確実な保護が可能である。
【００２９】
上カバー１６は、折り返し部１６ａを有する形状であるため、側面部１０ｂ側からプローブトレイ１０に嵌合させることで簡単にプローブトレイ１０に装着することができる。
【００３０】
なお、図５に示すように、折り返し部１６ａ（図４（ａ）参照）を有しない形状の上カバー１７を用いてもよい。
【００３１】
図６に示すように、本実施の形態に係る検査システムは、プローブトレイ１０、プローブ本体２０、及びベースユニット３０を有する。
【００３２】
ベースユニット３０は、プローブ本体２０から受光した光を基に生体パラメータの測定を行う装置であり、このプローブを使用する部屋（処置室や手術室等）に設置されて使用される。
【００３３】
ベースユニット３０の前面部３０ａには、プローブトレイ１０を差し込むことが可能な形状に形成されたレセプタクル（第１の差込部）３１が設けられている。これにより、プローブトレイ１０にプローブ本体２０を収容した状態でプローブトレイ１０をベースユニット３０に接続することができる。
【００３４】
レセプタクル３１の内部には、プローブ本体２０のコネクタ部２１を差し込むことが可能な形状に形成されたレセプタクル（第２の差込部）３２が設けられている。レセプタクル３２の位置は、より具体的には、コネクタ部２１をベースユニット３０に向けた状態でプローブトレイ１０をレセプタクル３１に差し込むときにコネクタ部２１に対向する位置である。これにより、プローブトレイ１０をレセプタクル３１に差し込むと同時にコネクタ部２１をレセプタクル３２に差し込むことができる（図７参照）。
【００３５】
ベースユニット３０は、レセプタクル３１から前方に延在する平面部をトレイ台３３として有しており、これにより、ベースユニット３０に接続されたプローブトレイ１０を安定的に支持することができる。
【００３６】
また、レセプタクル３２は、切欠部１３（図１等参照）に挿入可能に突設されている。したがって、プローブトレイ１０がレセプタクル３１に差し込まれたときには、レセプタクル３２が切欠部１３に差し込まれてコネクタ部２１がレセプタクル３２に差し込まれる。これにより、切欠部１３に収容されているコネクタ部２１の端子２１ａ〜２１ｃを確実にレセプタクル３２に挿入させることができる。そのため、端子２１ａ〜２１ｃを側面開口部１２から突き出るほど長く形成する必要性をなくすことができる。
【００３７】
以上説明したように、本実施の形態によれば、プローブ本体２０においてコネクタ部２１が設けられているプローブ基端部２０ａが、プローブトレイ１０の切欠部１３に保持されている。一方、ベースユニット３０は、プローブトレイ１０のレセプタクル３１を有し、さらにレセプタクル３１内にコネクタ部２１のレセプタクル３２を有している。そのため、プローブトレイ１０をベースユニット３０に差し込んだときにコネクタ部２１をベースユニット３０に接続することができる。したがって、処置室等においてプローブ本体２０の使用準備をする場合に、プローブ本体２０に一切触れることなくプローブトレイ１０ごとベースユニット３０に差し込むだけで、使用準備を完了することができる。すなわち、医療用プローブの使用準備を簡便化することができる。
【００３８】
また、使用準備中、プローブ本体２０に触れる必要性を一切なくすことができるので、プローブ本体２０の衛生状態を確実に保ったまま使用準備を完了することができる。
【００３９】
さらに、プローブトレイ１０をベースユニット３０に接続したままプローブ本体２０の使用が可能となるので、施術中にプローブ本体２０を一時的に仮置きする場合に、プローブトレイ１０をプローブ本体２０の仮置き台として使用することができる。
【００４０】
以上、本発明の実施の形態について説明した。今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４１】
１０  プローブトレイ（包装体）
１０ａ  上面部
１０ｂ  側面部
１１  収容凹部（収容部）
１２  側面開口部（開口部）
１３  切欠部
１４  固定部材
１５  接合部
１６、１７  上カバー
１６ａ  折り返し部
２０  プローブ本体（医療器具）
２０ａ  基端部（端部）
２０ｂ  先端部
２０ｃ  延伸部
２１  コネクタ部（接続部）
２１ａ、２１ｂ、２１ｃ  端子
２１ｄ  ハウジング
３０  ベースユニット（外部装置）
３０ａ  前面部
３１  レセプタクル（第１の差込部）
３２  レセプタクル（第２の差込部）
３３  トレイ台
【図１】
0005724650.tif 000002
【図２】
0005724650.tif 000003
【図３】
0005724650.tif 000004
【図４】
0005724650.tif 000005
【図５】
0005724650.tif 000006
【図６】
0005724650.tif 000007
【図７】
0005724650.tif 000008